【手続補正書】
【提出日】平成19年2月22日(2007.2.22)
【手続補正１】
【補正対象書類名】特許請求の範囲
【補正対象項目名】全文
【補正方法】変更
【補正の内容】
【特許請求の範囲】
【請求項１】
ハイパワーテキストトランスファープロトコルに従う外部へのアクセスが可能なホストコンピュータと通信可能で且つ前記ホストコンピュータから印刷すべき情報を受信して印刷を行う印刷装置と、前記ホストコンピュータとを含む印刷システムであって、
前記印刷装置は、
印刷装置における異常内容を検知する検知手段と、
前記検知手段により検知される異常内容により異なる外部へのアクセス先のＵＲＬを、アクセス先情報として記憶する記憶手段と、
前記検知手段により検知された異常の内容を前記ホストコンピュータに送信すると共に、前記異常の内容に応じて異なる外部へのアクセス先へのアクセスを前記ホストコンピュータに可能にさせるべく、前記記憶手段に記憶された前記アクセス先情報である異常の内容によって異なる外部へのアクセス先のＵＲＬを前記ホストコンピュータに送信する送信手段とを備え、
前記ホストコンピュータは、
前記印刷装置から送信された前記アクセス先情報である異常の内容によって異なる外部へのアクセス先のＵＲＬに基づき外部へアクセスするアクセス手段と、
前記アクセス手段のアクセスに応じて異常の内容に対処する情報を取得する取得手段と、
前記取得手段により取得された異常の内容に対処する情報を表示部に表示させる表示処理手段とを備えることを特徴とする印刷システム。
【請求項２】
ハイパワーテキストトランスファープロトコルに従う外部へのアクセスが可能なホストコンピュータと通信可能で、且つ、前記ホストコンピュータから印刷すべき情報を受信して印刷を行う印刷装置であって、
前記印刷装置における異常内容を検知する検知手段と、
前記検知手段により検知される異常の内容により異なる外部へのアクセス先のＵＲＬを、アクセス先情報として記憶する記憶手段と、
前記検知手段により検知された異常の内容を前記ホストコンピュータに送信すると共に、前記異常の内容に応じて異なる外部へのアクセス先へのアクセスを前記ホストコンピュータに可能にさせるべく、前記記憶手段に記憶された前記アクセス先情報である異常の内容によって異なる外部へのアクセス先のＵＲＬを前記ホストコンピュータに送信する送信手段とを備えることを特徴とする印刷装置。
【請求項３】
ハイパワーテキストトランスファープロトコルに従う外部へのアクセスが可能なホストコンピュータと通信可能で且つ前記ホストコンピュータから印刷すべき情報を受信して印刷を行う印刷装置と、前記ホストコンピュータとを含む印刷システムであって、
前記印刷装置は、
印刷装置における異常内容を検知する検知手段と、
前記検知手段により検知される異常の内容に係る対処の情報を取得するための外部へのアクセス先のＵＲＬを、アクセス先情報として記憶する記憶手段と、
前記検知手段により検知された異常の内容を前記ホストコンピュータに送信すると共に、前記異常の内容に係る対処の情報の外部からの取得を前記ホストコンピュータに可能にさせるべく、前記記憶手段に記憶された前記アクセス先情報である異常の内容に係る対処の情報を取得するための外部へのアクセス先のＵＲＬを前記ホストコンピュータに送信する送信手段とを備え、
前記ホストコンピュータは、
前記印刷装置から送信された前記アクセス先情報である異常の内容に係る対処の情報を外部から取得するための外部へのアクセス先のＵＲＬに基づき外部へアクセスするアクセス手段と、
前記アクセス手段のアクセスに応じて異常の内容に係る対処の情報を取得する取得手段と、
前記取得手段により取得した異常の内容に係る対処の情報を表示部に表示させる表示処理手段とを備えることを特徴とする印刷システム。
【請求項４】
ハイパワーテキストトランスファープロトコルに従う外部へのアクセスが可能なホストコンピュータと通信可能で、且つ、前記ホストコンピュータから印刷すべき情報を受信して印刷を行う印刷装置であって、
前記印刷装置における異常内容を検知する検知手段と、
前記検知手段により検知される異常の内容に係る対処の情報を取得するための外部へのアクセス先のＵＲＬを、アクセス先情報として記憶する記憶手段と、
前記検知手段により検知された異常の内容を前記ホストコンピュータに送信すると共に、前記異常の内容に係る対処の情報の外部からの取得を前記ホストコンピュータに可能にさせるべく、前記記憶手段に記憶された前記アクセス先情報である異常の内容に係る対処の情報を取得するための外部へのアクセス先のＵＲＬを前記ホストコンピュータに送信する送信手段とを備えることを特徴とする印刷装置。
【請求項５】
ハイパワーテキストトランスファープロトコルに従う外部へのアクセスが可能なホストコンピュータと通信可能で且つ前記ホストコンピュータから印刷すべき情報を受信して印刷を行う印刷装置と、前記ホストコンピュータとを含む印刷システムの処理方法であって、
前記印刷装置は、検知手段、記憶手段および送信手段を有し、
前記印刷装置は、
前記検知手段により印刷装置における異常内容を検知する検知工程と、
前記検知手段により検知される異常内容により異なる外部へのアクセス先のＵＲＬを、アクセス先情報として前記記憶手段に記憶する記憶工程と、
前記検知手段により検知された異常の内容を前記ホストコンピュータに送信すると共に、前記異常の内容に応じて異なる外部へのアクセス先へのアクセスを前記ホストコンピュータに可能にさせるべく、前記記憶手段に記憶された前記アクセス先情報である異常の内容によって異なる外部へのアクセス先のＵＲＬを前記ホストコンピュータに前記送信手段により送信する送信工程とを実行し、
前記ホストコンピュータは、アクセス手段、取得手段、表示部および表示処理手段を有し、
前記ホストコンピュータは、
前記印刷装置から送信された前記アクセス先情報である異常の内容によって異なる外部へのアクセス先のＵＲＬに基づき外部へ前記アクセス手段によりアクセスするアクセス工程と、
前記アクセス手段のアクセスに応じて異常の内容に対処する情報を前記取得手段により取得する取得工程と、
前記取得手段により取得された異常の内容に対処する情報を前記表示処理手段により前記表示部に表示させる表示処理工程とを実行することを特徴とする印刷システムにおける処理方法。
【請求項６】
ハイパワーテキストトランスファープロトコルに従う外部へのアクセスが可能なホストコンピュータと通信可能で、且つ、前記ホストコンピュータから印刷すべき情報を受信して印刷を行う印刷装置における処理方法であって、
前記印刷装置は検知手段、記憶手段および送信手段を有し、
前記印刷装置における異常内容を前記検知手段により検知する検知工程と、
前記検知手段により検知される異常の内容により異なる外部へのアクセス先のＵＲＬを、アクセス先情報として前記記憶手段に記憶する記憶工程と、
前記検知手段により検知された異常の内容を前記ホストコンピュータに送信すると共に、前記異常の内容に応じて異なる外部へのアクセス先へのアクセスを前記ホストコンピュータに可能にさせるべく、前記記憶手段に記憶された前記アクセス先情報である異常の内容によって異なる外部へのアクセス先のＵＲＬを前記ホストコンピュータに前記送信手段により送信する送信工程とを実行することを特徴とする印刷装置における処理方法。
【請求項７】
ハイパワーテキストトランスファープロトコルに従う外部へのアクセスが可能なホストコンピュータと通信可能で且つ前記ホストコンピュータから印刷すべき情報を受信して印刷を行う印刷装置と、前記ホストコンピュータとを含む印刷システムの処理方法であって、
前記印刷装置は、検知手段、記憶手段および送信手段を有し、
前記印刷装置は、
前記印刷装置における異常内容を前記検知手段により検知する検知工程と、
前記検知手段により検知される異常の内容に係る対処の情報を取得するための外部へのアクセス先のＵＲＬを、アクセス先情報として前記記憶手段に記憶する記憶工程と、
前記検知手段により検知された異常の内容を前記ホストコンピュータに送信すると共に、前記異常の内容に係る対処の情報の外部からの取得を前記ホストコンピュータに可能にさせるべく、前記記憶手段に記憶された前記アクセス先情報である異常の内容に係る対処の情報を取得するための外部へのアクセス先のＵＲＬを前記ホストコンピュータに前記送信手段により送信する送信工程とを実行し、
前記ホストコンピュータは、アクセス手段、取得手段、表示部および表示処理手段を有し、
前記ホストコンピュータは、
前記印刷装置から送信された前記アクセス先情報である異常の内容に係る対処の情報を外部から取得するための外部へのアクセス先のＵＲＬに基づき外部へ前記アクセス手段によりアクセスするアクセス工程と、
前記アクセス手段のアクセスに応じて異常の内容に係る対処の情報を前記取得手段により取得する取得工程と、
前記取得手段により取得した異常の内容に係る対処の情報を前記表示処理手段により前記表示部に表示させる表示処理工程と
を実行することを特徴とする印刷システムにおける処理方法。
【請求項８】
ハイパワーテキストトランスファープロトコルに従う外部へのアクセスが可能なホストコンピュータと通信可能で、且つ、前記ホストコンピュータから印刷すべき情報を受信して印刷を行う印刷装置における処理方法であって、
前記印刷装置は、検知手段、記憶手段および送信手段を有し、
前記印刷装置は、
前記印刷装置における異常内容を前記検知手段により検知する検知工程と、
前記検知手段により検知される異常の内容に係る対処の情報を取得するための外部へのアクセス先のＵＲＬを、アクセス先情報として前記記憶手段に記憶する記憶工程と、
前記検知手段により検知された異常の内容を前記ホストコンピュータに送信すると共に、前記異常の内容に係る対処の情報の外部からの取得を前記ホストコンピュータに可能にさせるべく、前記記憶手段に記憶された前記アクセス先情報である異常の内容に係る対処の情報を取得するための外部へのアクセス先のＵＲＬを前記ホストコンピュータに前記送信手段により送信する送信工程とを実行することを特徴とする印刷装置における処理方法。
【請求項９】
ハイパワーテキストトランスファープロトコルに従う外部へのアクセスが可能なホストコンピュータと通信可能で、且つ、前記ホストコンピュータから印刷すべき情報を受信して印刷を行う印刷装置における処理方法をコンピュータにより実行させるためのプログラムを記録したコンピュータ可読の記録媒体であって、前記コンピュータに、
前記印刷装置における異常内容を検知する検知手段と、
前記検知手段により検知される異常の内容により異なる外部へのアクセス先のＵＲＬを、アクセス先情報として記憶する記憶手段と、
前記検知手段により検知された異常の内容を前記ホストコンピュータに送信すると共に、前記異常の内容に応じて異なる外部へのアクセス先へのアクセスを前記ホストコンピュータに可能にさせるべく、前記記憶手段に記憶された前記アクセス先情報である異常の内容によって異なる外部へのアクセス先のＵＲＬを前記ホストコンピュータに送信する送信手段として機能させるプログラムを備えることを特徴とする記録媒体。
【請求項１０】
ハイパワーテキストトランスファープロトコルに従う外部へのアクセスが可能なホストコンピュータと通信可能で、且つ、前記ホストコンピュータから印刷すべき情報を受信して印刷を行う印刷装置における処理方法をコンピュータにより実行させるためのプログラムを記録したコンピュータ可読の記録媒体であって、前記コンピュータに、
前記印刷装置における異常内容を検知する検知手段と、
前記検知手段により検知される異常の内容に係る対処の情報を取得するための外部へのアクセス先のＵＲＬを、アクセス先情報として記憶する記憶手段と、
前記検知手段により検知された異常の内容を前記ホストコンピュータに送信すると共に、前記異常の内容に係る対処の情報の外部からの取得を前記ホストコンピュータに可能にさせるべく、前記記憶手段に記憶された前記アクセス先情報である異常の内容に係る対処の情報を取得するための外部へのアクセス先のＵＲＬを前記ホストコンピュータに送信する送信手段として機能させるプログラムを記録したことを特徴とする記録媒体。
【手続補正２】
【補正対象書類名】明細書
【補正対象項目名】発明の名称
【補正方法】変更
【補正の内容】
【発明の名称】印刷システム、印刷装置、印刷装置における処理方法および記録媒体
【手続補正３】
【補正対象書類名】明細書
【補正対象項目名】０００１
【補正方法】変更
【補正の内容】
【０００１】
本発明は、ホストコンピュータから印刷情報を受信し、印刷する印刷装置およびその印刷装置を使用する印刷システムに関し、特に、故障診断機能を有する印刷装置、印刷システム、処理方法および記録媒体に関する。
【手続補正４】
【補正対象書類名】明細書
【補正対象項目名】０００６
【補正方法】変更
【補正の内容】
【０００６】
そこで、本発明の目的は、ホストコンピュータあるいは印刷装置のメモリを大型化しなくても、印刷装置の異常内容およびその対処の方法を従来よりもより詳細にユーザに報知することができる印刷システム、印刷装置、印刷装置における処理方法および記録媒体を提供することにある。
【手続補正５】
【補正対象書類名】明細書
【補正対象項目名】０００７
【補正方法】変更
【補正の内容】
【０００７】
本発明は、ハイパワーテキストトランスファープロトコルに従う外部へのアクセスが可能なホストコンピュータと通信可能で且つ前記ホストコンピュータから印刷すべき情報を受信して印刷を行う印刷装置と、前記ホストコンピュータとを含む印刷システムであって、
前記印刷装置は、
印刷装置における異常内容を検知する検知手段と、
前記検知手段により検知される異常内容により異なる外部へのアクセス先のＵＲＬを、アクセス先情報として記憶する記憶手段と、
前記検知手段により検知された異常の内容を前記ホストコンピュータに送信すると共に、前記異常の内容に応じて異なる外部へのアクセス先へのアクセスを前記ホストコンピュータに可能にさせるべく、前記記憶手段に記憶された前記アクセス先情報である異常の内容によって異なる外部へのアクセス先のＵＲＬを前記ホストコンピュータに送信する送信手段とを備え、
前記ホストコンピュータは、
前記印刷装置から送信された前記アクセス先情報である異常の内容によって異なる外部へのアクセス先のＵＲＬに基づき外部へアクセスするアクセス手段と、
前記アクセス手段のアクセスに応じて異常の内容に対処する情報を取得する取得手段と、
前記取得手段により取得された異常の内容に対処する情報を表示部に表示させる表示処理手段とを備えることを特徴とする。
本発明の他の態様では、ハイパワーテキストトランスファープロトコルに従う外部へのアクセスが可能なホストコンピュータと通信可能で、且つ、前記ホストコンピュータから印刷すべき情報を受信して印刷を行う印刷装置であって、
前記印刷装置における異常内容を検知する検知手段と、
前記検知手段により検知される異常の内容により異なる外部へのアクセス先のＵＲＬを、アクセス先情報として記憶する記憶手段と、
前記検知手段により検知された異常の内容を前記ホストコンピュータに送信すると共に、前記異常の内容に応じて異なる外部へのアクセス先へのアクセスを前記ホストコンピュータに可能にさせるべく、前記記憶手段に記憶された前記アクセス先情報である異常の内容によって異なる外部へのアクセス先のＵＲＬを前記ホストコンピュータに送信する送信手段とを備えることを特徴とする。
本発明の他の態様では、ハイパワーテキストトランスファープロトコルに従う外部へのアクセスが可能なホストコンピュータと通信可能で且つ前記ホストコンピュータから印刷すべき情報を受信して印刷を行う印刷装置と、前記ホストコンピュータとを含む印刷システムであって、
前記印刷装置は、
印刷装置における異常内容を検知する検知手段と、
前記検知手段により検知される異常の内容に係る対処の情報を取得するための外部へのアクセス先のＵＲＬを、アクセス先情報として記憶する記憶手段と、
前記検知手段により検知された異常の内容を前記ホストコンピュータに送信すると共に、前記異常の内容に係る対処の情報の外部からの取得を前記ホストコンピュータに可能にさせるべく、前記記憶手段に記憶された前記アクセス先情報である異常の内容に係る対処の情報を取得するための外部へのアクセス先のＵＲＬを前記ホストコンピュータに送信する送信手段とを備え、
前記ホストコンピュータは、
前記印刷装置から送信された前記アクセス先情報である異常の内容に係る対処の情報を外部から取得するための外部へのアクセス先のＵＲＬに基づき外部へアクセスするアクセス手段と、
前記アクセス手段のアクセスに応じて異常の内容に係る対処の情報を取得する取得手段と、
前記取得手段により取得した異常の内容に係る対処の情報を表示部に表示させる表示処理手段とを備えることを特徴とする。
本発明の他の態様では、ハイパワーテキストトランスファープロトコルに従う外部へのアクセスが可能なホストコンピュータと通信可能で、且つ、前記ホストコンピュータから印刷すべき情報を受信して印刷を行う印刷装置であって、
前記印刷装置における異常内容を検知する検知手段と、
前記検知手段により検知される異常の内容に係る対処の情報を取得するための外部へのアクセス先のＵＲＬを、アクセス先情報として記憶する記憶手段と、
前記検知手段により検知された異常の内容を前記ホストコンピュータに送信すると共に、前記異常の内容に係る対処の情報の外部からの取得を前記ホストコンピュータに可能にさせるべく、前記記憶手段に記憶された前記アクセス先情報である異常の内容に係る対処の情報を取得するための外部へのアクセス先のＵＲＬを前記ホストコンピュータに送信する送信手段とを備えることを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】変更
【補正の内容】
【００３０】
本発明によれば、印刷装置の検知手段により検知された異常の内容をホストコンピュータに送信すると共に、異常の内容に応じて異なる外部へのアクセス先へのアクセスをホストコンピュータに可能にさせるべく、アクセス先情報である異常の内容によって異なる外部へのアクセス先のＵＲＬをホストコンピュータに送信することができる。
また、本発明の他の態様によれば、検知手段により検知された異常の内容を前記ホストコンピュータに送信すると共に、前記異常の内容に係る対処の情報の外部からの取得を前記ホストコンピュータに可能にさせることができる。
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】削除
【補正の内容】
【手続補正３２】
【補正対象書類名】明細書
【補正対象項目名】００３４
【補正方法】削除
【補正の内容】
【手続補正３３】
【補正対象書類名】明細書
【補正対象項目名】００８３
【補正方法】変更
【補正の内容】
【００８３】
Ｓ１１８：  Ｓ１０７より、このステップに来てトラブルがトラブルコード１０５〜１０９のいずれかあるかを自動的にプリンタドライバのソフトウェア、アプリケーションが判断して、そのトラブルコードに応じた内容の画面をディスプレイに表示する。